(57)【要約】【課題】トイレルーム内の省スペースを確保しつつトイレルームに設置された局所洗浄便座の清掃性を高めた使い勝手の良い局所洗浄便座操作用リモコンを提供する。【解決手段】トイレルームの前板、壁面、キャビネット、カウンタの少なくとも何れか一つに埋設され、トイレルームに設置された局所洗浄便座５０を操作するタッチパネル式の局所洗浄便座操作用リモコン本体１Ａと、使用者の着座状態を検知する前記局所洗浄便座５０に備えられた着座センサ２０からの信号を受信する制御部３０と、を備えた局所洗浄便座操作用リモコン１であって、局所洗浄便座操作用リモコン１は、着座センサ２０の検知により使用者が局所洗浄便座５０に着座した時にのみ操作できるようになっている。【選択図】図１
2008002151.tif 000002
【特許請求の範囲】
【請求項１】
トイレルームの前板、壁面、キャビネット、カウンタの少なくとも何れか一つに埋設され、トイレルームに設置された局所洗浄便座を操作するタッチパネル式の局所洗浄便座操作用リモコン本体と、
使用者の着座状態を検知する前記局所洗浄便座に備えられた着座センサからの信号を受信する制御部と、を備えた局所洗浄便座操作用リモコンであって、
前記局所洗浄便座操作用リモコンは、前記着座センサの検知により使用者が前記局所洗浄便座に着座した時にのみ操作できることを特徴とする局所洗浄便座操作用リモコン。
【請求項２】
前記局所洗浄便座操作用リモコン本体が操作部を投影する外観被覆材を備え、当該外観被覆材が、トイレルームの前板、壁面、キャビネット、カウンタのうち前記局所洗浄便座操作用リモコンが備わった部分と同一の色彩、色調、又は模様を有する材料でできていることを特徴とする、請求項１に記載の局所洗浄便座操作用リモコン。
【請求項３】
前記局所洗浄便座操作用リモコンの操作部の大きさを変更可能としたことを特徴とする、請求項１又は請求項２に記載の局所洗浄便座操作用リモコン。
【発明の詳細な説明】
【技術分野】
【０００１】
本発明は、トイレルームに設置された局所洗浄便座を操作するタッチパネル式の局所洗浄便座操作用リモコンに関する。
【背景技術】
【０００２】
従来からトイレルームに設置された局所洗浄便座を操作するタッチパネル式の局所洗浄便座操作用リモコンは知られている（例えば、特許文献１及び特許文献２参照）。そして、特許文献１に開示された局所洗浄便座には人体を検知して便座操作用液晶表示装置を作動させるようになったリモコンが取り付けられている。
【０００３】
また、特許文献２に開示された局所洗浄便座にも人体を検知するセンサがリモコンに設けられ、人体を検知してリモコンの便座操作用液晶表示装置を作動させるようになっている。なお、特許文献１及び特許文献２に記載された何れのリモコンも局所洗浄便座の側方に取り付けられている。
【特許文献１】特開平１０−１１０４５８号公報（２頁、図１）
【特許文献２】特開平８−２８００７７号公報（３頁、図４）
【発明の開示】
【発明が解決しようとする課題】
【０００４】
しかしながら、従来のリモコンのタッチパネル操作部は、局所洗浄便座の側方に取り付けられていたので、例えば男性が小用を足すときに小水がこのタッチパネル操作部にかかってしまうことがあり、この操作部分を頻繁に清掃する必要があった。
【０００５】
その上、人体検知センサはトイレルーム内における人の有無のみを検知し、使用者が便座に着座しているか否かを検知するようにはなっていなかったため、タッチパネル清掃時にタッチパネルセンサが反応し、局所洗浄便座が誤作動する不具合があった。
【０００６】
一方、車椅子の使用者がトイレルームに車椅子ごと入り込み、局所洗浄便座に車椅子を横付けして局所洗浄便座に乗り移る際に、局所洗浄便座と一体化したリモコンが邪魔になり乗り移りにくいことがある。なお、トイレルーム内における局所洗浄便座の設置の制約上、リモコンと反対側に車椅子を横付けするスペースは必ずしも取ることができないため、このような問題を回避することはできない。
【０００７】
また、局所洗浄便座の多機能化に伴い、各機能に対応するスイッチを局所洗浄便座の側方に設けたリモコンに全て配置したのでは、リモコン自体が大型化したり個々のスイッチ自体の大きさが小さくなって使い勝手が悪くなったりしていた。
【０００８】
そのため、トイレルームの前板、壁面やキャビネット、カウンタにこのようなリモコンのスイッチを配置する構成が考えられている。しかしながら、リモコンのスイッチがこのようなトイレルーム内の一般に配置されない場所に配置されていると共に、人体検知センサがトイレルーム内における人の有無のみを検知するようにすると、清掃作業中にトイレルームの前板、壁面、キャビネット、カウンタのスイッチを誤って押してしまい、局所洗浄便座を誤って作動させてしまうおそれがある。
【０００９】
特に所謂パブリックトイレと言われる公共のトイレは汚れやすいため清掃の機会が多く、清掃する人も様々な人がいる。そのため、清掃作業に慣れていない人が清掃をした時にこのようなリモコンの誤動作を招きやすい。
【００１０】
また、家庭のトイレルーム内において清掃とは別に小さな子供がリモコンを触って誤動作させ、子供を驚かせてしまうおそれもある。
【００１１】
本発明の目的は、トイレルーム内の省スペースを確保しつつトイレルームに設置された局所洗浄便座の清掃性を高めた使い勝手の良い局所洗浄便座操作用リモコンを提供することにある。
【課題を解決するための手段】
【００１２】
上述した課題を解決するために、本発明にかかる局所洗浄便座操作用リモコンは、
トイレルームの前板、壁面、キャビネット、カウンタの少なくとも何れか一つに埋設され、トイレルームに設置された局所洗浄便座を操作するタッチパネル式の局所洗浄便座操作用リモコン本体と、
使用者の着座状態を検知する前記局所洗浄便座に備えられた着座センサからの信号を受信する制御部と、を備えた局所洗浄便座操作用リモコンであって、
前記局所洗浄便座操作用リモコンは、前記着座センサの検知により使用者が前記局所洗浄便座に着座した時にのみ操作できることを特徴としている。
【００１３】
使用者が局所洗浄便座に着座した時にのみ着座センサの検知により局所洗浄便座操作用リモコンを操作でき、着座していない時には操作できないようにしたので、一般的に配置されていないトイレルームの前板、壁面、キャビネット、カウンタに配置された局所洗浄便座操作用リモコンを清掃する際にリモコンに不用意に触れてしまっても誤作動させることがなく、清掃作業に慣れていない者も安心して清掃作業を行うことができる。特に所謂パブリックトイレと言われる公共のトイレは汚れやすいため清掃の機会が多く、清掃する人も様々な人がいるが、清掃作業に慣れていない人が清掃をしてもこのようなリモコンの誤動作防止を図ることができる。
【００１４】
また、便座への着座時にのみリモコンを操作できるようになっているので、清掃時におけるリモコン誤作動によりリモコンのバックライト等が点灯したままになって無駄な電力を消費することがなく、省エネにも貢献することができる。
【００１５】
また、家庭のトイレルーム内において清掃とは別に小さな子供がリモコンを触って誤動作させて子供を驚かせてしまうこともない。
【００１６】
また、本発明の請求項２に記載の局所洗浄便座操作用リモコンは、請求項１に記載の局所洗浄便座操作用リモコンにおいて、
前記局所洗浄便座操作用リモコン本体が操作部を投影する外観被覆材を備え、当該外観被覆材が、トイレルームの前板、壁面、キャビネット、カウンタのうち前記局所洗浄便座操作用リモコンが備わった部分と同一の色彩、色調、又は模様を有する材料でできていることを特徴としている。
【００１７】
使用者が便座から離座してリモコン本体の操作部が表示されなくなった場合に、リモコンの取り付けられたトイレルームの前板、壁面、キャビネット、カウンタとリモコンの外観被覆材が外観上一体化し、トイレルームのインテリア性を維持することができる。
【００１８】
また、本発明の請求項３に記載の局所洗浄便座操作用リモコンは、請求項１又は請求項２に記載の局所洗浄便座操作用リモコンにおいて、
前記局所洗浄便座操作用リモコンの操作部の大きさを変更可能としたことを特徴としている。
【００１９】
このように使用者の好みに応じてリモコンの操作部の大きさを変更できるようにすることで、リモコンの操作部を例えば高齢者や子供が使い易くするように変更でき、より使い勝手の良い局所洗浄便座操作用リモコンとすることができる。
【発明の効果】
【００２０】
本発明によると、トイレルーム内の省スペースを確保しつつトイレルームに設置された局所洗浄便座の清掃性を高めた使い勝手の良い局所洗浄便座操作用リモコンを提供することができる。
【００２１】
より具体的には、使用者が局所洗浄便座に着座した時にのみ着座センサの検知により局所洗浄便座操作用リモコンを操作でき、着座していない時には操作できないようにしたので、一般的に配置されていないトイレルームの前板、壁面、キャビネット、カウンタに配置された局所洗浄便座操作用リモコンを清掃する際にリモコンに不用意に触れてしまっても誤作動させることがなく、清掃作業を安心して行うことができる。
【００２２】
また、便座への着座時にのみリモコンを操作できるようになっているため、清掃時におけるリモコン誤作動によりリモコンのバックライト等が点灯したままになったりして無駄な電力を消費することなく、省エネにも貢献することができる。
【発明を実施するための最良の形態】
【００２３】
以下、本発明の一実施形態にかかる局所洗浄便座操作用リモコンについて図面に基づいて説明する。ここで、図１は、本発明の一実施形態にかかる局所洗浄便座操作用リモコン１を備えたトイレルームの斜視図であり、図２は、図１に示した局所洗浄便座操作用リモコン１の概略構成を示すブロック図である。
【００２４】
本発明の一実施形態にかかる局所洗浄便座操作用リモコン１は、図１に示すように、トイレルームの前板ＦＰに埋設され、トイレルームに設置された局所洗浄便座５０を操作するタッチパネル式の局所洗浄便座操作用リモコンである。
【００２５】
そして、局所洗浄便座操作用リモコン１は、図２のブロック図に示すように、リモコン１の操作部をなすタッチパネル１１と、タッチパネル１１の裏側に配置されタッチパネル１１を発光させると共に所定の表示部を備えたバックライト（発光体）１２と、タッチパネル１１の前面に貼られた外観被覆材１３と、局所洗浄便座５０への使用者の着座状態を検知する着座検知センサ２０からの出力信号を受信すると共に、タッチパネル１１の操作に応じて局所洗浄便座５０に備わったノズル作動用ポンプ、フラッシュバルブ等のアクチュエータ５５を適宜制御する制御部３０を備えている。なお、タッチパネル１１、バックライト１２、外観被覆材１３、及び制御部３０で局所洗浄便座操作用リモコン本体１Ａを構成している。
【００２６】
そして、制御部３０に電気的に接続された着座検知センサ２０によって使用者が局所洗浄便座５０に着座したことを検知するようになっている。なお、着座検知センサ２０は、リモコン１とは必ずしも電気的に接続される構成に限定されず、例えば、着座検知センサ２０の信号を無線で送信して、リモコン１で受信するようにしても良い。
【００２７】
タッチパネル１１には、おしり洗浄モード、水勢軟らかモード、ビデモード、水勢微調整モード、洗浄位置調整モード、設定モード、及び停止モードに対応するタッチスイッチが備わっており、各タッチスイッチが例えば基本的な表示として図３に示すようなピクトデザインで表示されるようになっている。
【００２８】
なお、タッチパネル１１は、表示部を兼ねたバックライト１２の発光によってタッチパネル１１に配置された複数のタッチスイッチ及びバックライト１２の表示部が浮かび上がるように発光して外部から認識可能になると共に、バックライト１２の消灯時にはタッチパネル１１を覆う外観被覆材１３の木目調の模様のみが外部から認識できるようになっている。
【００２９】
そして、タッチパネル１１は、図３中、最も右側に配置された設定モードに対応するタッチスイッチ１１１を押すことで、タッチパネル１１の表示内容を図４に示す設定モードに変更可能となっている。なお、この設定モードの各種表示変更用タッチスイッチを適宜押すことでタッチパネル１１の各タッチスイッチを様々な表示内容に変更できるようになっている。具体的には、図４右下に示すピクトデザイン変更用タッチスイッチの右側のタッチスイッチ１１２を押すことで、図５に示すように、使用者に各タッチスイッチ自体の実際の使用態様を連想させるようにタッチスイッチ自体の表示を変更可能となっている。
【００３０】
また、設定モードの図４中右下に示す文字サイズ変更用の左側のタッチスイッチ１１４を操作することで、図６に示すように、各使用形態に対応するタッチスイッチの大きさを大きくすることが可能となっている。
【００３１】
また、タッチパネル１１は、図４乃至図６に示す設定モードにおいて、色設定に対応するタッチスイッチ１２１〜１２７の何れかを押すことでタッチパネル１１の裏側に備わったバックライト１２の発光色を調整可能となっていると共に、バックライト１２の発光濃度に対応する濃薄バーグラフの形態をとるタッチスイッチ１２９の所定の濃さに対応する部分を押すことでバックライト１２の発光強度を調整可能となっている。なお、バックライト１２の発光色は、例えば赤、橙、黄色、黄緑、緑、青、茶色、水色、ペールオレンジ、桃色、黒、紫などの色やエメラルド色、白色等の多数の色彩から任意に選択することができる。
【００３２】
なお、上述したタッチパネル１１に関する表示形態の各種変更については、例えば特開平９−８１０９４号公報、特開平５−７４０００号公報、特開平２００５−２９３１７５号公報に記載されているように公知の技術である。
【００３３】
図２に示すタッチパネル１１の前面を覆う外観被覆材１３は、本実施形態の場合、半透光性の材料からなり、トイレルームの局所洗浄便座操作用リモコン１が取り付けられる木目調（図１及び図８では図示せず）の前板ＦＰと同一の木目調の模様を有している。
【００３４】
なお、外観被覆材１３は好ましくはタッチパネル１１と着脱自在になっているのが良い。これによって、トイレルームの前板、壁面、キャビネット、カウンタ等を変更したとき、この変更に合わせて外観被覆材１３もこれらと同等の色彩、色合い、又は模様を有する外観被覆材に変更することができるようになり、トイレルーム内のインテリアの統一性を維持することが可能となる。具体的には、例えば、前板ＦＰ、壁面ＴＷやキャビネット、カウンタＴＣの色を青色に変更したとき、外観被覆材１３もこれと同等の青色に変えると共に、タッチパネル１１の発光色を外観被覆材１３の背景色と比べて外部から認識しやすい赤色に変更するなど、トイレルームのデザインに応じて前板ＦＰ、壁面ＴＷやキャビネット、カウンタＴＣの色彩、色合い、模様を変更したときに、外観被覆材１３をこれに合わせて変更できるようにすることで、トイレルーム内のインテリアの統一性を維持しつつ、外観被覆材１３を通して発光するタッチパネル１１の発光色や発光強度を変更して鮮明に表示させることができるようになる。
【００３５】
タッチパネル１１と表示部を兼ねたバックライト１２には制御部３０が電気的に接続されている。制御部３０は、着座検知センサ２０の出力や使用者によるタッチパネル１１の操作に応じて局所洗浄便座５０に備わった局所洗浄用ノズル作動用ポンプ、排水用フラッシュバルブ、便座ヒータ等の各種アクチュエータ５５を適宜制御するようになっている。
【００３６】
また、制御部３０は、タッチパネル１１の各タッチスイッチの表示内容を使用者によるタッチパネル１１の設定モードの変更に基づいて適宜変更するようになっている。
【００３７】
また、制御部３０は、使用者が局所洗浄便座５０に着座した時に着座検知センサ２０の出力によりバックライト１２を介してタッチパネル１１を発光させ、タッチスイッチを押すことでリモコン１を操作できるようにすると共に、局所洗浄便座５０から離座した後はバックライト１２を消すと共に、タッチスイッチを押してもリモコン操作をできないようになっている。
【００３８】
また、制御部３０は、タッチパネル１１と協働した調整機構を有し、上述したタッチスイッチの操作に応じてバックライト１２の発光色や発光強度を調整可能とすると共に、バックライト１２によって発光するタッチパネル１１の各タッチスイッチの大きさを変更可能としている。なお、制御部３０によるリモコン作動ルーチンについて後述する。
【００３９】
続いて、このような構成を有する局所洗浄便座操作用リモコン１の作用について図７乃至図１５の動作説明図及び図１６のフローチャートを用いて説明する。なお、図７は、使用者がトイレルーム内に入ってきた状態を示している。また、図８は、図７におけるトイレルーム内を、使用者を除いた状態でより具体的に示している。また、図９は、使用者が局所洗浄便座５０に座った直後の状態を示している。また、図１０は、使用者がタッチパネル１１の各タッチスイッチのエクトピクセルを変更した状態を示している。また、図１１は、使用者がタッチパネル１１の各タッチスイッチの大きさを大きく変更した状態を示している。また、図１２は、用をたした使用者が局所洗浄便座５０から離座して手を洗っている状態を示している。また、図１３は、使用者がトイレルーム内から出ようとしている状態を示している。また、図１４は、本実施形態にかかる局所洗浄便座操作用リモコン１を備えたトイレルームの前板ＦＰを使用者や清掃者が清掃している状態を示している。また、図１５は、本発明の機能を有しない局所洗浄便座操作用リモコンを備えたトイレルームの前板ＦＰを清掃している状態を示している。また、図１６は、リモコン１の作動状態の制御ルーチンを表わし、このルーチンではリモコン１のタッチパネル１１の表示内容に関する変更の細かな制御ルーチンを除いて示している。
【００４０】
最初に使用者がトイレルームに入ってきたときは、図７及び図８に示すように、局所洗浄便座操作用リモコン１のバックライト１２が発光しておらず前板ＦＰに埋設されたリモコン１のタッチパネル１１も消えたままとなり、外観上タッチパネル１１の部分が図７では特に示さないが外観被覆材の模様である木目調をなしている。そして、図７及び図８では特に示さないが、前板全体が局所洗浄便座操作用リモコン１の部分も含め木目調の模様で覆われ、トイレルーム内のインテリアとしての統一性を保っている。
【００４１】
続いて、図９に示すように使用者が局所洗浄便座５０に着座すると、着座検知センサ２０が使用者の着座を検知し（図中着座センサが点線から実線に変化している点参照）、図中前板ＦＰの中央部に局所洗浄便座操作用リモコン１としてのタッチパネル１１がバックライト１２の発光により浮かび上がる。
【００４２】
図１６に示すフローチャートでは、この制御をステップＳ１からステップＳ３で行っている。なお、タッチパネル１１の各タッチスイッチのより具体的な表示内容については、図３に示すようなピクトデザインで表示されるようになっている。
【００４３】
ここで、使用者が、例えばタッチスイッチ１１の発光色や発光強度を変更したい場合やタッチスイッチ１１のピクトデザインの内容を変えたい場合、又はタッチスイッチ１１の文字サイズを大きく表示したい場合は、図３中右側に配置された設定モード用のタッチスイッチ１１１を押してタッチパネルの表示内容を図４に示す設定モードに移行させる。この設定モードに移行させることによって、使用者が、各タッチスイッチのピクトデザインを変更したい場合は、図４のタッチパネル１１の右下方に配置されたピクトデザイン変更用のタッチスイッチ１１２，１１３の何れかを押して使用者の好みに応じた又は使用者にとって分かり易いタッチスイッチの表示に変更する。なお、図３及び図４の場合は、ピクトデザイン選択スイッチの左側のタッチスイッチ１１３を押した表示内容で、図５の場合はピクトデザイン選択スイッチの右側のタッチスイッチ１１２を押した場合の表示内容である。
【００４４】
また、図４に示す各タッチスイッチの文字サイズを大きくしたい場合は、図４に示す文字サイズ変更用の文字サイズを大きくするタッチスイッチ１１４を押して図６に示すように各タッチスイッチの文字サイズを大きく表示する。これによって、高齢者や子供にとって操作し易いリモコンの操作部とすることができる。
【００４５】
一方、ピクトデザインの各タッチスイッチの文字サイズを元の大きさに戻したい場合は、図４に示す文字サイズ変更用の文字サイズを小さくするタッチスイッチ１１５を押して各スイッチを元の大きさに戻す。
【００４６】
また、各タッチスイッチの色の設定を変更したい場合は、図４に示す設定モードで使用者の好み又は外観被覆材の色彩、色合い、模様等に応じて図４中左下側に並んで配置された色設定用のタッチスイッチ１２１〜１２７の何れかを押す。これによって前板ＦＰと同一の色彩、色あい、又は模様を有する外観被覆材に対してリモコン１のタッチパネル１１が目立たなくなった場合にこれを適度に目立つように変更する。また、各タッチスイッチの色の強度を変更したい場合は、図４に示す設定モードで図４中色設定ボタンの上側にバーグラフ状に配置された色濃淡変更用のタッチスイッチ１２９の濃い方か薄い方かその間の何れかを押すことによってバックライトの発光強度を変更して色の濃淡を変更する。これによって、外観被覆材の色彩、色合い、模様等に合わせてタッチパネル１１の表示内容を外部から容易に認識できるように調整する。
【００４７】
このようにして個々の使用者にとって使い易い表示のタッチパネル１１とした後、用を足して水勢や洗浄位置を調整すると共に柔らかさ、おしり洗浄モードやビデ洗浄モードを選択して局所洗浄を行い、リモコン操作を終了する。そして、使用者は局所洗浄便座５０から離座して例えば図１２に示すようにカウンタ左側に配置された手洗い部で手を洗う。
【００４８】
なお、図１２及び図１６のステップＳ４からステップＳ５に示すように、本実施形態にかかる局所洗浄便座操作用リモコン１では、使用者が局所洗浄便座５０から離れたことを着座検知センサ２０が検出するとすぐにリモコンのタッチパネル１１が消えると共に、タッチスイッチの操作ができないようになっている。そのため、図１４に示すように、トイレルームの使用者や清掃者が前板ＦＰを掃除してもリモコン１のタッチパネル１１が誤って操作されることはなく、図１５に示すように、局所洗浄便座５０が誤って作動して床が水浸しになったりすることはない。
【００４９】
特に立ったまま前板ＦＰを掃除する場合、図１４や図１５から分かるように、前板ＦＰを正面から見ることができないので、前板ＦＰに備わったリモコン１がＯＮの状態であることを認識しづらいが、本実施形態のように使用者が局所洗浄便座５０から離座した瞬間にリモコン１が操作できなくすることで、上述のようなリモコンの誤動作を確実に防止することができる。
【００５０】
仮に所謂パブリックトイレと言われる公共のトイレの前板に本実施形態にかかる局所洗浄便座操作用リモコン１が設置されている場合、このようなトイレは汚れやすいため清掃の機会が多く、清掃する人も様々な人がいるが、清掃作業に慣れていない人が清掃をしてもこのようなリモコン１の誤動作防止を図ることができる。
【００５１】
また、便座への着座時にのみリモコンを操作できるようになっているので、清掃時におけるリモコン誤作動によりリモコンのバックライト等が点灯したままになって無駄な電力を消費することがなく、省エネにも貢献することができる。
【００５２】
また、家庭のトイレルーム内において清掃とは別に小さな子供がリモコン１を触って誤動作させて子供を驚かせてしまうこともない。
【００５３】
また、使用者が用を足した後局所洗浄便座５０から立つと、リモコン１の表示部を兼ねたバックライト１２が消灯して図１３に示すように前板ＦＰにリモコン１のタッチパネル１１が表示されなくなり、この部分が一見したところ木目調の外観被覆材１３の模様を呈するようになる。その結果、タッチパネル１１の部分が統一した木目調の前板と一体化してトイレルーム内のインテリア性を維持することができる。
【００５４】
以上説明したように、本発明による局所洗浄便座操作用リモコンによると、使用者が局所洗浄便座に着座した時にのみ着座センサの検知により局所洗浄便座操作用リモコンを操作でき、着座していない時には操作できないようにしたので、一般的に配置されていないトイレルームの前板、壁面、キャビネット、カウンタに配置された局所洗浄便座操作用リモコンを清掃する際にリモコンに不用意に触れてしまっても誤作動させることがなく、清掃作業に慣れていない者も安心して清掃作業を行うことができる。特に所謂パブリックトイレと言われる公共のトイレは汚れやすいため清掃の機会が多く、清掃する人も様々な人がいるが、清掃作業に慣れていない人が清掃をしてもこのようなリモコンの誤動作防止を図ることができる。
【００５５】
また、便座への着座時にのみリモコンを操作できるようになっているので、清掃時におけるリモコン誤作動によりリモコンのバックライト等が点灯したままになって無駄な電力を消費することがなく、省エネにも貢献することができる。
【００５６】
また、家庭のトイレルーム内において清掃とは別に小さな子供がリモコンを触って誤動作させて子供を驚かせてしまうこともない。
【００５７】
また、使用者が便座から離座してリモコン本体の操作部が表示されなくなった場合に、リモコンの取り付けられたトイレルームの前板、壁面、キャビネット、カウンタとリモコンの外観被覆材が外観上一体化し、トイレルームのインテリア性を維持することができる。
【００５８】
また、使用者の好みに応じてリモコンのタッチパネルの大きさを変更できるようにすることで、リモコンのタッチパネルを例えば高齢者や子供が使い易くするように変更でき、より使い勝手の良い局所洗浄便座操作用リモコンとすることができる。
【００５９】
なお、局所洗浄便座操作用リモコンは、本実施形態のようにトイレルームの前板に設けられることに限定されず、トイレルームの前板、壁面、キャビネットの何れに設けられても良い。具体的には、例えば図１７に示すように、トイレルームのカウンタＴＣに局所洗浄便座操作用リモコン１が設けられていても良く、図１８に示すようにトイレルームの前板ＦＰ、壁面ＴＷ、キャビネットＣＢ、カウンタＴＣのうち任意の複数箇所に局所洗浄便座操作用リモコン１のタッチパネル１１が分割して設けられても良い。
【００６０】
また、局所洗浄便座操作用リモコンの構成は、必ずしも図２に示す構成に限定されず、制御部３０がバックライト１２の裏側に直接取り付けられていても良い。若しくは、例えば図１９に示す局所洗浄便座操作用リモコン２のように、外観被覆材６１の裏側に投影機６２、感知センサ６３及び制御部６４を備え、投影機６２によって外観被覆材６１に上述したタッチパネルのタッチスイッチの像を投影し、使用者が押した指の場所をＣＣＤカメラなどの感知センサ６３で検知し、制御部６４で上述した実施形態と同様の局所洗浄便座操作用リモコン２の表示制御を行うようにしても良い。
【００６１】
また、外観被覆材は、本実施形態のように木目調の前板と同一の模様を有する材料でできていることに限定されず、トイレルームの前板、壁面、キャビネット、カウンタのうち局所洗浄便座操作用リモコンが取り付けられる部分と同一の色彩、色調又は模様を有する材料でできていれば良い。
【００６２】
また、調整機構は、本実施形態のようにバックライトの発光色及び発光強度の双方を調整可能とすることに限定されず、バックライトの発光色又は発光強度の少なくとも何れか一方を調整可能としても良い。
【００６３】
また、外観被覆材は使用者の好みに応じて色調や材料を変更することができるようにしても良い。また、外観被覆材は、透明（透光性）のシート等で構成されていても良い。
【００６４】
また、着座検知センサは必ずしも局所洗浄便座に設けられる必要はなく、前板などの適所に設けて使用者の着座状態を光学的に非接触で検出するようにしても良い。
【図面の簡単な説明】
【００６５】
【図１】本発明の一実施形態にかかる局所洗浄便座操作用リモコンを備えたトイレルームの斜視図である。
【図２】図１に示した局所洗浄便座操作用リモコンの概略構成を示すブロック図である。
【図３】図１に示した局所洗浄便座操作用リモコンのタッチパネルを示す平面図である。
【図４】図３に示したタッチパネルの設定モードを示す平面図である。
【図５】図４に示した設定モードでピクトデザインを変更したタッチパネルを示す平面図である。
【図６】図４に示した設定モードで各タッチスイッチの大きさを大きく変更したタッチパネルを示す平面図である。
【図７】図１に示した局所洗浄便座操作用リモコンの作用に関する説明図であり、使用者がトイレルーム内に入ってきた状態を示している。
【図８】図７におけるトイレルーム内を、使用者を除いてより具体的に示す斜視図である。
【図９】図７に続いて使用者が局所洗浄便座に座った直後の状態を示す説明図である。
【図１０】図９に続いて使用者がリモコン操作部の各スイッチのエクトピクセルを変更した状態を示す説明図である。
【図１１】図９に続いて使用者がリモコン操作部の各スイッチの大きさを変更して大きくした状態を示す説明図である。
【図１２】図９乃至図１１に続いて用をたした使用者が局所洗浄便座から離座して手を洗う直前の状態を示す図である。
【図１３】図１２に続いて使用者がトイレルーム内から出ようとしている状態を示す説明図である。
【図１４】本実施形態にかかる局所洗浄便座操作用リモコンを備えたトイレルームの前板を使用者や清掃者が清掃している状態を示す説明図である。
【図１５】本発明の機能を有しない局所洗浄便座操作用リモコンを備えたトイレルームの前板を使用者や清掃者が清掃している状態を示す説明図である。
【図１６】図１に示した局所洗浄便座操作用リモコンの作動に関するフローチャートである。
【図１７】本発明の一実施形態にかかる局所洗浄便座操作用リモコンの設置場所の変形例を示す説明図である。
【図１８】図１７とは異なる局所洗浄便座操作用リモコンの設置場所の変形例を示す説明図である。
【図１９】図２に示した局所洗浄便座操作用リモコンの変形例を示す概略ブロック図である。
【符号の説明】
【００６６】
１，２    （局所洗浄便座操作用）リモコン
１Ａ    局所洗浄便座操作用リモコン本体
１１    タッチパネル
１２    バックライト（発光体）
１３    外観被覆材
２０    着座検知センサ
３０    制御部
５０    局所洗浄便座
５５    アクチュエータ
６１    外観被覆材
６２    投影機
６３    感知センサ
６４    制御部
１１１〜１１５    タッチスイッチ
１２１〜１２９    タッチスイッチ
ＣＢ    キャビネット
ＦＰ    前板
ＴＣ    カウンタ
ＴＷ    壁面
【図１】
2008002151.tif 000003
【図２】
2008002151.tif 000004
【図３】
2008002151.tif 000005
【図４】
2008002151.tif 000006
【図５】
2008002151.tif 000007
【図６】
2008002151.tif 000008
【図７】
2008002151.tif 000009
【図８】
2008002151.tif 000010
【図９】
2008002151.tif 000011
【図１０】
2008002151.tif 000012
【図１１】
2008002151.tif 000013
【図１２】
2008002151.tif 000014
【図１３】
2008002151.tif 000015
【図１４】
2008002151.tif 000016
【図１５】
2008002151.tif 000017
【図１６】
2008002151.tif 000018
【図１７】
2008002151.tif 000019
【図１８】
2008002151.tif 000020
【図１９】
2008002151.tif 000021